(57)【要約】【課題】フックなどの支持具が安定して取り付けられ、表面が美麗であり、加工性にも優れる陳列用壁面什器を提案する。【解決手段】表面が平坦で多数の縦長孔が穿設された板体とこの板体の裏面に取り付けられる補強部材からなり、この補強部材が板体裏面に取り付けられたとき前記縦長孔の幅に適合する幅の中空室が形成されるようになされているので、陳列品を支持するためのフックなどを縦長孔に挿入すると挿入されたフックの基部が中空室の内壁に規制されて安定する。又、板体の縦長孔は板体に補強部材を取り付ける前に加工が出来るので、プレス加工などで容易に加工することが出来る。【選択図】        図１
2004350904.tif 000002
【特許請求の範囲】
【請求項１】
表面が平坦で多数の縦長孔が穿設された板体とこの板体の裏面に取り付けられる補強部材からなり、この補強部材が板体裏面に取り付けられたとき前記縦長孔の幅に適合する幅の中空室が形成されるようになされていることを特徴とする陳列用壁面什器。
【請求項２】
板体の長手方向に亘って、係止部が設けられ、この係止部に補強部材が着脱可能に係止されたことを特徴とする請求項１記載の陳列用壁面什器。
【発明の詳細な説明】
【０００１】
【発明の属する技術分野】
本発明は、壁面に商品などを陳列するための陳列用壁面什器に関する。
【０００２】
【従来の技術】
【特許文献１】特開平８−１４０７９３号
従来、壁面に商品などを陳列するための什器として種々の什器が使用されていた。又、特開平８−１４０７９３号公報には、平坦な壁面と、この壁面に複数、縦方向に間隔をおいて形成された柱状中空部を有する柱状ホルダー部と、この柱状ホルダー部の前面にその長手方向に沿って上記中空部に連通するようにして穿設された長孔と、上記柱状中空部に嵌脱可能な基端部を有する陳列品支持部材とを具備してなり、該陳列品支持部材の基端部を上記長孔を介して上記柱状中空部に挿入、嵌合させることにより該陳列品支持部材を上記柱状ホルダー部に着脱自在に固定するようにしたことを特徴とする陳列用壁面構造が提案されている。
【０００３】
【発明が解決しようとする課題】
しかしながら上記の如き特開平８−１４０７９３号公報に提案されている陳列用壁面構造に於いては柱状中空部が壁面と一体に形成されているため、長孔の加工が困難であり、ミーリング加工などの機械加工によらねばならず、加工費が嵩むという問題があった。
【０００４】
そこで本発明者は従来の欠点に鑑み鋭意研究の結果、フックなどの支持具が安定して取り付けられ、表面が美麗であり、加工性にも優れる陳列用壁面什器を提案するものである。
【０００５】
【課題を解決するための手段】
本発明請求項１記載の陳列用壁面什器は、表面が平坦で多数の縦長孔が穿設された板体とこの板体の裏面に取り付けられる補強部材からなり、この補強部材が板体裏面に取り付けられたとき前記縦長孔の幅に適合する幅の中空室が形成されるようになされているので、陳列品を支持するためのフックなどを縦長孔に挿入すると挿入されたフックの基部が中空室の内壁に規制されて安定する。又、板体の縦長孔は板体に補強部材を取り付ける前に加工が出来るので、プレス加工などで容易に加工することが出来る。
【０００６】
又、本発明請求項２記載の陳列用什器は、板体の長手方向に亘って、係止部が設けられ、この係止部に補強部材が着脱可能に係止されたもので、縦長孔の形状など意匠の異なる板体に取り替えるだけで、模様替えをすることが出来る。
【０００７】
【発明の実施の形態】
以下、図面を参照しながら本発明に付いて説明する。
図１は本発明陳列用壁面什器の実施形態の一例を示す斜視図である。図に於いて１は板体であり、表面が平坦でその側縁が背面側に折曲されて断面コ字形となされている。板体１の表面壁には縦長孔１１が多数設けられている。板体１の裏面には逆Ｌ字形の係止部１２が設けられこの係止部１２に補強部材２の両縁に設けられた係合部２１が係止されるようになされている。
【０００８】
板体１は、アルミ合金型材から作製されれば、押出型材に縦長孔１１をプレス加工で穿設するだけで容易に作成される。板体１の表面は防錆のためアルマイト処理が施されている。板体１はアルマイト処理した上に塗装などで適宜着色されるのが好ましい。板体１は、前記したように好適にはアルミ合金型材から作製されるが、鋼板などの金属板を折曲して作製してもよいし、合成樹脂から作製されてもよい。
【０００９】
補強部材２は、背面壁２２から４本の仕切壁２３が突設されてなり、両端の仕切壁２３の縁部が外方に向けて折曲されて係合部２１となされている。補強部材２は板体１の裏面に取り付けられたとき仕切壁２３と板体１裏面壁との間に中空室３が形成される。補強部材２は板体１と同様に好適にはアルミ合金から作製され、表面には防錆のためアルマイト処理が施される。補強部材２は、好適にはアルミ合金型材から作製されるが、鋼板などの金属板を折曲して作製してもよいし、合成樹脂から作製されてもよい。
【００１０】
本発明陳列用什器は、前記した板体１と補強部材２が組み合わせられてなり、図３、図４に示すように板体１の表面に形成された縦長孔１１にフックなどの陳列品支持具４の基部４１が挿入されて物品を支持するのに用いられる。縦長孔１１の巾は、陳列品支持具４の基部４１の幅より稍大きくされており、縦長孔１１の長さは、陳列品支持具４の基部４１が挿入できる長さとされている。
【００１１】
陳列品支持具４の基部４１が陳列用什器の板体１に設けられた縦長孔１１に挿入されると縦長孔１１裏面の仕切り壁と背面壁２２に規制され、陳列品支持具４は前後や左右に動くことなく安定する。板体１の裏面に形成される中空室３の大きさは陳列品支持具４の基部４１より稍々大きくされている。
【００１２】
縦長孔１１は、この例では上下の端部が半円状となされた小判型の孔の例を示したが孔の形状はこの例に限るものではなく、長方形の孔が設けられても良い。
【００１３】
【発明の効果】
上述の如く、本発明請求項１記載の陳列用壁面什器は、表面が平坦で多数の縦長孔が穿設された板体とこの板体の裏面に取り付けられる補強部材からなり、この補強部材が板体裏面に取り付けられたとき前記縦長孔の幅に適合する幅の中空室が形成されるようになされているので、陳列品を支持するためのフックなどを縦長孔に挿入すると挿入されたフックの基部が中空室の内壁に規制されて安定する。又、板体の縦長孔は板体に補強部材を取り付ける前に加工が出来るので、プレス加工などで容易に加工することが出来る。
【００１４】
又、本発明請求項２記載の陳列用什器は、板体の長手方向に亘って、係止部が設けられ、この係止部に補強部材が着脱可能に係止されたもので、縦長孔の形状など意匠の異なる板体に取り替えるだけで、模様替えをすることが出来る。
【図面の簡単な説明】
【図１】本発明陳列用壁面什器の実施形態の一例を示す斜視図である。
【図２】本発明陳列用壁面什器の実施形態の一例を示す組立図である。
【図３】本発明陳列用壁面什器の使用状態を示す組立図である。
【図４】本発明陳列用壁面什器の使用状態を示す断面図である。
【符号の説明】
１    板体
１１  縦長孔
１２  係止部
２    補強部材
２１  係合部
２２  背面壁
２３  仕切壁
３    中空室
４    陳列品支持具
４１  基部
【図１】
2004350904.tif 000003
【図２】
2004350904.tif 000004
【図３】
2004350904.tif 000005
【図４】
2004350904.tif 000006